(57)【要約】【課題】  モジュラプラグへの対より線ケーブル成端時にいかなる結線表を見ることおよびそれを覚えること無しに、初心者を含む誰でもが誤り無く正しい結線ができるモジュラプラグを提供する。【解決手段】  複数の導体コンタクト３を有するモジュラプラグ１において、このモジュラプラグ１を構成するプラグ本体２に、モジュラプラグ１に挿入される対より線ケーブルの各対毎に色分けされた心線と各導体コンタクト３との１対１の規定された関係を示し、かつ各心線の色で色分けされた結線明示部７が設けられているものである。【選択図】      図１
2006310160.tif 000002
【特許請求の範囲】
【請求項１】
複数の導体コンタクトを有するモジュラプラグにおいて、このモジュラプラグを構成するプラグ本体に、モジュラプラグに挿入される対より線ケーブルの各対毎に色分けされた心線と前記各導体コンタクトとの１対１の規定された関係を示し、かつ前記各心線の色で色分けされた結線明示部が設けられていることを特徴とするモジュラプラグ。
【請求項２】
前記プラグ本体を２つ以上の部品で構成し、前記心線を挿入する心線挿入口を有する部品に前記結線明示部を設けた請求項１記載のモジュラプラグ。
【請求項３】
前記プラグ本体を透明または半透明の樹脂で形成し、前記プラグ本体の前記各導体コンタクトを取り付ける面とは反対側の面に、心線挿入口の内側から見えるように前記結線明示部を設けた請求項１または２記載のモジュラプラグ。
【請求項４】
前記結線明示部は、前記各心線の色で色分けされた複数の領域からなるラベルを貼り付け、または前記各心線の色で色分けされた複数の領域を前記プラグ本体に着色して形成される請求項１〜３いずれかに記載のモジュラプラグ。
【請求項５】
前記複数の導体コンタクトは、１番から８番の８つの導体コンタクトからなり、
前記対より線ケーブルは、１対を構成する一方の心線が青色、他方の心線が白地に青色で色分けされると共に、他の３対を構成する各心線が同様に橙色、緑色、茶色でそれぞれ色分けされた４対の心線を有し、
前記結線明示部は、１番の導体コンタクトに白地に緑色の心線、２番の導体コンタクトに緑色の心線、３番の導体コンタクトに白地に橙色の心線、４番の導体コンタクトに青色の心線、５番の導体コンタクトに白地に青色の心線、６番の導体コンタクトに橙色の心線、７番の導体コンタクトに白地に茶色の心線、８番の導体コンタクトに茶色の心線の関係、いわゆるＴ５６８Ａ結線と呼ばれる関係を示し、かつ前記４対の心線の色で色分けされる請求項１〜４いずれかに記載のモジュラプラグ。
【請求項６】
前記複数の導体コンタクトは、１番から８番の８つの導体コンタクトからなり、
前記対より線ケーブルは、１対を構成する一方の心線が青色、他方の心線が白地に青色で色分けされると共に、他の３対を構成する各心線が同様に橙色、緑色、茶色でそれぞれ色分けされた４対の心線を有し、
前記結線明示部は、１番の導体コンタクトに白地に橙色の心線、２番の導体コンタクトに橙色の心線、３番の導体コンタクトに白地に緑色の心線、４番の導体コンタクトに青色の心線、５番の導体コンタクトに白地に青色の心線、６番の導体コンタクトに緑色の心線、７番の導体コンタクトに白地に茶色の心線、８番の導体コンタクトに茶色の心線の関係、いわゆるＴ５６８Ｂ結線と呼ばれる関係を示し、かつ前記４対の心線の色で色分けされる請求項１〜４いずれかに記載のモジュラプラグ。
【請求項７】
請求項５記載の結線明示部と請求項６記載の結線明示部とを有することを特徴とするモジュラプラグ。
【発明の詳細な説明】
【技術分野】
【０００１】
本発明は、ＬＡＮ接続において一般的に使用されるモジュラプラグに係り、特に、対より線ケーブル成端時に結線配列を覚えていなくとも正しい成端をすることが可能な明示を有するモジュラプラグに関する。
【背景技術】
【０００２】
昨今のオフィスや家庭においてＬＡＮ（Ｌｏｃａｌ  Ａｒｅａ  Ｎｅｔｗｏｒｋ）の導入が一般的に行われている。このＬＡＮを構成する情報配線システムの多数が、敷設や変更において比較的簡単な対より線ケーブルを使って行われる。
【０００３】
この対より線ケーブルを使用したデータ系と電話系を統括した先行配線システムの代表的な配線系統図を図８に示す。配線システム８０は、ＭＤＦ（Ｍａｉｎ  Ｄｉｓｔｒｉｂｕｔｉｏｎ  Ｆｒａｍｅ：交換機の主配線盤）８１を中心にビルの階ごとにＩＤＦ（Ｉｎｔｅｒｍｅｄｉａｔｅ  Ｄｉｓｔｒｉｂｕｔｉｏｎ  Ｆｒａｍｅ：中継端子盤）８２を設置し、ＩＤＦ８２を中心に各フロア必要数のコンセントボックス８３、その下に接続される次段のコンセントボックス８４を介して各端末８５へと対より線モジュラプラグコード８６で配線したものである。
【０００４】
一般に、端末とコンセントボックス間またはネットワーク機器とパッチパネル間等の相互接続に使用するコード８６には、８導体コンタクトを有するモジュラプラグが４対の心線を有する対より線ケーブルの両端に成端されている。
【０００５】
コード８６の接続場所には、例えば、図９に示すようなモジュラコネクタ型パッチパネル９０や図１０に示すようなコンセントボックス１００など、モジュラプラグが着脱自在に設けられるモジュラコネクタ（モジュラジャック）を有する配線部材が設けられる。
【０００６】
なお、この出願の発明に関連する先行技術文献情報としては、次のものがある。
【０００７】
【特許文献１】特開２００４−０３１１３０号公報
【発明の開示】
【発明が解決しようとする課題】
【０００８】
しかしながら、従来、コード８６に使われるモジュラプラグには、対より線ケーブルの心線の結線を誘導する明示がされていない。さらに、モジュラプラグに対より線ケーブルを接続する際に、１番，２番導体コンタクトに１つの対の心線、４番，５番導体コンタクトに別の１つの対の心線、７番，８番導体コンタクトにさらに別の対の心線、３番，６番導体コンタクトに残りの対の心線という組み合わせにて４対の心線を接続するように規定（指定）されている。すなわち、３番と６番が４番と５番をまたいでいる特異な結線となる。
【０００９】
このため、初心者など不慣れな者は、１番，２番導体コンタクト、３番，４番導体コンタクト、５番，６番導体コンタクト、７番，８番導体コンタクトといった組み合わせでそれぞれ４つの対の心線を結線してしまう誤った結線がされることがしばしばあった。
【００１０】
また、４対の心線の結線としては、Ｔ５６８ＡタイプとＴ５６８Ｂタイプと呼ばれる２通りの結線が存在しているが、正しい結線をするためには結線配列を作業者が常に覚えているか、正しい結線を示す覚書、いわゆる結線表のような物を携帯しておかなければならなかった。
【００１１】
そこで、本発明の目的は、モジュラプラグへの対より線ケーブル成端時にいかなる結線表を見ることおよびそれを覚えること無しに、初心者を含む誰でもが誤り無く正しい結線ができるモジュラプラグを提供することにある。
【課題を解決するための手段】
【００１２】
本発明は前記目的を達成するために創案されたものであり、請求項１の発明は、複数の導体コンタクトを有するモジュラプラグにおいて、このモジュラプラグを構成するプラグ本体に、モジュラプラグに挿入される対より線ケーブルの各対毎に色分けされた心線と前記各導体コンタクトとの１対１の規定された関係を示し、かつ前記各心線の色で色分けされた結線明示部が設けられているモジュラプラグである。
【００１３】
請求項２の発明は、前記プラグ本体を２つ以上の部品で構成し、前記心線を挿入する心線挿入口を有する部品に前記結線明示部を設けた請求項１記載のモジュラプラグである。
【００１４】
請求項３の発明は、前記プラグ本体を透明または半透明の樹脂で形成し、前記プラグ本体の前記各導体コンタクトを取り付ける面とは反対側の面に、心線挿入口の内側から見えるように前記結線明示部を設けた請求項１または２記載のモジュラプラグである。
【００１５】
請求項４の発明は、前記結線明示部は、前記各心線の色で色分けされた複数の領域からなるラベルを貼り付け、または前記各心線の色で色分けされた複数の領域を前記プラグ本体に着色して形成される請求項１〜３いずれかに記載のモジュラプラグである。
【００１６】
請求項５の発明は、前記複数の導体コンタクトは、１番から８番の８つの導体コンタクトからなり、
前記対より線ケーブルは、１対を構成する一方の心線が青色、他方の心線が白地に青色で色分けされると共に、他の３対を構成する各心線が同様に橙色、緑色、茶色でそれぞれ色分けされた４対の心線を有し、
前記結線明示部は、１番の導体コンタクトに白地に緑色の心線、２番の導体コンタクトに緑色の心線、３番の導体コンタクトに白地に橙色の心線、４番の導体コンタクトに青色の心線、５番の導体コンタクトに白地に青色の心線、６番の導体コンタクトに橙色の心線、７番の導体コンタクトに白地に茶色の心線、８番の導体コンタクトに茶色の心線の関係、いわゆるＴ５６８Ａ結線と呼ばれる関係を示し、かつ前記４対の心線の色で色分けされる請求項１〜４いずれかに記載のモジュラプラグである。
【００１７】
請求項６の発明は、前記複数の導体コンタクトは、１番から８番の８つの導体コンタクトからなり、
前記対より線ケーブルは、１対を構成する一方の心線が青色、他方の心線が白地に青色で色分けされると共に、他の３対を構成する各心線が同様に橙色、緑色、茶色でそれぞれ色分けされた４対の心線を有し、
前記結線明示部は、１番の導体コンタクトに白地に橙色の心線、２番の導体コンタクトに橙色の心線、３番の導体コンタクトに白地に緑色の心線、４番の導体コンタクトに青色の心線、５番の導体コンタクトに白地に青色の心線、６番の導体コンタクトに緑色の心線、７番の導体コンタクトに白地に茶色の心線、８番の導体コンタクトに茶色の心線の関係、いわゆるＴ５６８Ｂ結線と呼ばれる関係を示し、かつ前記４対の心線の色で色分けされる請求項１〜４いずれかに記載のモジュラプラグである。
【００１８】
請求項７の発明は、請求項５記載の結線明示部と請求項６記載の結線明示部とを有するモジュラプラグである。
【発明の効果】
【００１９】
本発明によれば、対より線ケーブルの配線システムを構築する際に使用される対より線モジュラプラグコードのプラグ成端が誰でも結線を間違えることなしに行えるようになる。
【発明を実施するための最良の形態】
【００２０】
以下、本発明の好適な実施形態を添付図面にしたがって説明する。
【００２１】
図１は本発明の好適な第１の実施形態を示すモジュラプラグの斜視図、図２は図１に示したモジュラプラグを下面側から見た斜視図である。
【００２２】
図１および図２に示すように、第１の実施形態に係るモジュラプラグ１は、プラグ本体２と、そのプラグ本体２の上面に取り付けられる複数の導体コンタクト３とで主に構成される。
【００２３】
このモジュラプラグ１には、複数の導体コンタクト３と同じ数の心線を有する対より線ケーブル（後述する図３参照）が成端される。以下の実施形態では、複数の導体コンタクト３は、図１の奥側から順に１番から８番の番号が付された８つの導体コンタクト３からなる例で説明する。
【００２４】
プラグ本体２の一端には、対より線ケーブルの心線を挿入する心線挿入口（開口部）４が形成され、その心線挿入口４からプラグ本体２の他端部まで心線挿入穴５が形成される。プラグ本体２の下面（導体コンタクト３を取り付ける面とは反対側の面）には、モジュラプラグ１を図示しないモジュラコネクタに着脱自在に設けるための掛け止めアーム６が形成される。このプラグ本体２は、透明または半透明の樹脂で一体形成される１つの部品で構成される。
【００２５】
各導体コンタクト３は、その上部がプラグ本体２の他端部の上面から突出すると共に、下部が心線挿入穴５まで貫通するように、プラグ本体２の他端部の上面に並列に取り付けられる。心線挿入穴５には、対より線ケーブルの各心線を各導体コンタクト３の下部まで案内する図示しないガイド溝がそれぞれ形成される。
【００２６】
さて、プラグ本体２の下面（掛け止めアーム６側の面）の一端部には、心線挿入口４の内側から見えるように、モジュラプラグ１に挿入される対より線ケーブルの各対毎に色分けされた心線と各導体コンタクト３との１対１の規定された関係を示し、かつ各心線の色で色分けされた結線明示部７が設けられている。
【００２７】
この結線明示部７は、例えば、各心線の色で色分けされた複数の領域からなるラベルを貼り付け、または各心線の色で色分けされた複数の領域をプラグ本体２の下面の一端部に着色して形成される。着色の一例としては、印刷、塗料の吹きつけや塗布、スタンプの押印などがある。
【００２８】
以下の実施形態では、図３に示すような対より線ケーブル（ＵＴＰケーブル）３１を用いる例で説明する。このケーブル３１は、導体を絶縁体で覆った心線（絶縁体心線）３２を２本１対として撚り合わせ、同様に撚り合わせた４対（計８本）の心線３２をシース３３で覆ったものである。
【００２９】
４対の心線３２は、１対を構成する一方の心線３２が青色、他方の心線３２が白地に青色で色分けされ、他の１対を構成する一方の心線３２が橙色、他方の心線３２が白地に橙色で色分けされ、さらに他の１対を構成する一方の心線３２は緑色、他方の心線３２が白地に緑色で色分けされ、残りの１対を構成する一方の心線３２が茶色、他方の心線３２が白地に茶色で計８通りに色分けされたものである。白地に各色の心線３２は、例えば、白地に各色のストライプまたは一定間隔の塗料吹きつけによるマーキングが施されて各色に色分けされる。
【００３０】
第１の実施形態では、ケーブル３１の各心線３２は、１番の導体コンタクト３に白地に緑色の心線３２、２番の導体コンタクト３に緑色の心線３２、３番の導体コンタクト３に白地に橙色の心線３２、４番の導体コンタクト３に青色の心線３２、５番の導体コンタクト３に白地に青色の心線３２、６番の導体コンタクト３に橙色の心線３２、７番の導体コンタクト３に白地に茶色の心線３２、８番の導体コンタクト３に茶色の心線３２の関係、いわゆるＴ５６８Ａ結線と呼ばれる１対１で規定された関係で接続して成端される。
【００３１】
したがって、結線明示部７は、図４に示すように、Ｔ５６８Ａ結線と呼ばれる１対１で規定された関係を示し、かつ図３で説明した４対の心線３２の色で色分け（区別）された８つの帯状の領域４１ａ〜４１ｈからなる。各領域４１ａ〜４１ｈは、その長手方向の延長線上に図１の１番から８番の導体コンタクト３がそれぞれ位置するように並列配置される。
【００３２】
より詳細には、領域４１ａは白地に逆三角形の緑色部、領域４１ｂは帯状の緑色部、領域４１ｃは白地に逆三角形の橙色部、領域４１ｄは帯状の青色部、領域４１ｅは白地に逆三角形の青色部、領域４１ｆは帯状の橙色部、領域４１ｇは白地に逆三角形の茶色部、領域４１ｈは帯状の茶色部にそれぞれ色分けされる。すなわち、結線明示部７はＴ５６８Ａ結線用明示の一例である。
【００３３】
図４では、緑色を左斜めの斜線部分、橙色を右斜めの斜線部分、青色を薄い塗りつぶし部分、茶色を網目部分でそれぞれ表した。これは、後述する図６や図７（ａ）〜図７（ｆ）についても同様である。
【００３４】
第１の実施形態の作用を説明する。
【００３５】
モジュラプラグ１にケーブル３１の一端を成端するには、まず、ケーブル３１の一端を端末処理し、各心線３２を解いてその一端部に導体を露出させる。図３に示すように、各心線３２を心線挿入口４から挿入する際、結線明示部７を確認することで、各心線３２を結線明示部７の各領域４１ａ〜４１ｈの色分けに従って誘導し、Ｔ５６８Ａ結線並びで配列する。
【００３６】
その後、各心線３２を心線挿入口４から挿入して心線挿入穴５のガイド溝で案内し、各導体コンタクト３の下部に各心線３２の導体をＴ５６８Ａ結線で接続して成端する。同様に、別のモジュラプラグ１にケーブル３１の他端を成端すれば、対より線モジュラプラグコードが得られる。
【００３７】
モジュラプラグ１では、プラグ本体２の任意の見やすい部位として、透明または半透明の樹脂で形成したプラグ本体２の下面の一端部に、心線挿入口４の内側から見えるように結線明示部７を設けている。
【００３８】
前述したように、結線明示部７は、モジュラプラグ１への各心線３２の成端を規定のパターン（ここでは、Ｔ５６８Ａ結線）に従って正しく誘導するための色配列明示が、例えば、着色もしくはラベルの貼り付けによって形成されたものである。
【００３９】
このため、１番の導体コンタクト３にはＴ５６８Ａタイプで指定された心線３２の特定の１本を、２番の導体コンタクト３には別の心線３２の特定の１本をというように全８本の心線３２を決まった導体コンタクト３に接続されるよう、結線明示部７で作業者を誘導することによって正しい結線がなされる。
【００４０】
これにより、モジュラプラグ１によれば、モジュラプラグ１への対より線ケーブル３１の成端時にいかなる結線表を見ることおよびそれを覚えること無しに、初心者を含む誰でもが誤り無く正しいＴ５６８Ａ結線ができる。
【００４１】
また、モジュラプラグ１によれば、対より線ケーブル３１の配線システムを構築する際に使用される対より線モジュラプラグコードのプラグ成端が誰でも結線を間違えることなしに行えるようになる。
【００４２】
さらに、プラグ本体２の下面の一端部に結線明示部７を設けることで、結線明示部７が見やすく、各心線３２を挿入する際に結線明示部７が邪魔にならない。ラベルの貼り付けや着色による結線明示部７の形成も容易になる。
【００４３】
次に、第２の実施形態を説明する。
【００４４】
図５に示すように、モジュラプラグ５１は、図４の結線明示部７に代えて、プラグ本体２の下面の一端部に結線明示部５７を設けたものである。
【００４５】
第２の実施形態では、ケーブル３１の各心線３２は、１番の導体コンタクト３に白地に橙色の心線３２、２番の導体コンタクト３に橙色の心線３２、３番の導体コンタクト３に白地に緑色の心線３２、４番の導体コンタクト３に青色の心線３２、５番の導体コンタクト３に白地に青色の心線３２、６番の導体コンタクト３に緑色の心線３２、７番の導体コンタクト３に白地に茶色の心線３２、８番の導体コンタクト３に茶色の心線３２の関係、いわゆるＴ５６８Ｂ結線と呼ばれる１対１で規定された関係で接続して成端される。
【００４６】
したがって、結線明示部５７は、図６に示すように、Ｔ５６８Ｂ結線と呼ばれる１対１で規定された関係を示し、かつ図３で説明した４対の心線３２の色で色分けされた８つの帯状の領域６１ａ〜６１ｈからなる。各領域６１ａ〜６１ｈは、その長手方向の延長線上に図１の１番から８番の導体コンタクト３が位置するように並列配置される。
【００４７】
より詳細には、領域６１ａは白地に逆三角形の橙色部、領域６１ｂは帯状の橙色部、領域６１ｃは白地に逆三角形の緑色部、領域６１ｄは帯状の青色部、領域６１ｅは白地に逆三角形の青色部、領域６１ｆは帯状の緑色部、領域６１ｇは白地に逆三角形の茶色部、領域６１ｈは帯状の茶色部にそれぞれ色分けされる。すなわち、結線明示部５７はＴ５６８Ｂ結線用明示の一例である。
【００４８】
このモジュラプラグ５１によれば、結線明示部５７を確認することで、Ｔ５６８Ｂ結線において図１のモジュラプラグ１と同様の作用効果が得られる。
【００４９】
次に、図４に示した結線明示部７の変形例を図７（ａ）〜図７（ｆ）で説明する。
【００５０】
図７（ａ）に示す結線明示部７７ａは、白地に中央部が円形の各色部と帯状の各色部とで８つの領域を色分けしたものである。図７（ｂ）に示す結線明示部７７ｂは、白地に奥側が矩形の各色部と帯状の各色部とで８つの領域を色分けしたものである。図７（ｃ）に示す結線明示部７７ｃは、白地に中央部が矩形の各色部と帯状の各色部とで８つの領域を色分けしたものである。図７（ｄ）に示す結線明示部７７ｄは、白地に長手方向が線状の各色部と帯状の各色部とで８つの領域を色分けしたものである。図７（ｅ）に示す結線明示部７７ｅは、白地にＸ字状の各色部と帯状の各色部とで８つの領域を色分けしたものである。図７（ｆ）に示す結線明示部７７ｆは、白地に米字状の各色部と帯状の各色部とで８つの領域を色分けしたものである。
【００５１】
前記実施の形態では、プラグ本体２の下面の一端部に結線明示部を設けた例で説明したが、各心線３２の色の並びを確認しながら各心線３２をプラグ本体２へ挿入できる位置であれば、プラグ本体２の任意の見やすい部位に結線明示部を設けてもよい。例えば、プラグ本体２の上面の一端部、あるいは心線挿入穴５の下面の一端部や上面の一端部（プラグ本体２を透明または半透明な樹脂で形成しない場合に有効）などでもよい。
【００５２】
また、プラグ本体を２つ以上の部品で構成する場合には、対より線ケーブルの心線を挿入する心線挿入口を有する部品において、前述したような部位に結線明示部を設けてもよい。
【００５３】
前記実施の形態では、結線明示部をラベルの貼り付けや着色で形成する例で説明したが、結線明示部の各領域の色が判別できるものであれば、いかなるもので結線明示部を形成してもよい。
【００５４】
さらに、プラグ本体に図４の結線明示部７と図６の結線明示部５７とを設けてモジュラプラグを構成してもよい。例えば、図１のモジュラプラグ１の構成に加え、結線明示部７の他端側に結線明示部５７を並べて設けたり、プラグ本体２の上面の一端部に結線明示部５７を設けたりしてもよい。
【図面の簡単な説明】
【００５５】
【図１】本発明の好適な第１の実施形態を示すモジュラプラグの斜視図である。
【図２】図１に示したモジュラプラグを下面側から見た斜視図である。
【図３】図１に示したモジュラプラグへ対より線ケーブルの心線をＴ５６８Ａ結線並びで挿入する説明図である。
【図４】図１に示した結線明示部の平面図である。
【図５】本発明の第２の実施形態を示すモジュラプラグへ対より線ケーブルの心線をＴ５６８Ｂ結線並びで挿入する説明図である。
【図６】図５に示した結線明示部の平面図である。
【図７】図７（ａ）〜図７（ｆ）は図４に示した結線明示部の変形例を示す平面図である。
【図８】先行配線システムの代表的な配線系統図である。
【図９】モジュラコネクタ型パッチパネルの外観図である。
【図１０】コンセントボックスの外観図である。
【符号の説明】
【００５６】
１  モジュラプラグ
２  プラグ本体
３  導体コンタクト
７  結線明示部
【図１】
2006310160.tif 000003
【図２】
2006310160.tif 000004
【図３】
2006310160.tif 000005
【図４】
2006310160.tif 000006
【図５】
2006310160.tif 000007
【図６】
2006310160.tif 000008
【図７】
2006310160.tif 000009
【図８】
2006310160.tif 000010
【図９】
2006310160.tif 000011
【図１０】
2006310160.tif 000012